(57)【特許請求の範囲】
【請求項１】
腹側部、背側部、及び股下部を有する長方形状の吸収性本体と、該吸収性本体を着用者に止着するベルトと、該ベルトを挿通し前記吸収性本体に固定されるベルトループ部とを備える吸収性物品であって、
前記ベルトループ部は、前記吸収性本体に固定される固定止着材を有しており、
前記ベルトは、調整止着材により、前記吸収性物品の装着時にベルトの長さが調整されるようになしてあり、
前記ベルトは、前記吸収性本体の前記背側部の両側部それぞれに２本配されており、２本の前記ベルトそれぞれの長手方向の一端部は、前記背側部の側部に固定されており、２本の該ベルトそれぞれが、前記吸収性本体に固定された前記ベルトループ部を介して、前記腹側部と前記背側部との間に架け渡されることにより装着され、
２本の前記ベルトは、上側ベルトと下側ベルトから形成されており、該上側ベルトの一端部及び該下側ベルトの一端部が、前記背側部の側部の端縁近傍において、同じ位置で固定されており、
前記上側ベルトは、前記吸収性本体の背側部の端縁に沿って延びる仮想直線と平行に延びるように固定されており、
前記下側ベルトは、前記仮想直線と交差する方向に延びるように固定されている吸収性物品。
【請求項２】
前記下側ベルトと前記仮想直線とがなす角度βは、１０〜４０°である請求項１に記載の吸収性物品。
【請求項３】
前記吸収性本体は、表面シートと、裏面シートと、これら両シート間に介在された吸収体とを有し、長手方向の側部に、該表面シートを介してサイドシートが配されて構成されており、
前記上側ベルトの一端部及び前記下側ベルトの一端部が、前記裏面シートと前記サイドシートとの間に配され、同じ位置で固定されている請求項１又は２に記載の吸収性物品。
【発明の詳細な説明】
【技術分野】
【０００１】
本発明は、使い捨ておむつ等の吸収性物品に関する。
【背景技術】
【０００２】
従来の吸収性物品として、着用者を立たせたまま、着用者に装着することのできる使い捨ておむつが知られている。例えば、特許文献１には、吸収性コアを含む閉じ込めアセンブリと、該閉じ込めアセンブリの各縦方向縁に配置される腰パネル及び大腿パネルを備えた伸長性サイドパネルとを有する使い捨てプルオン式吸収性物品が記載されている。また、例えば、特許文献２には、背側の両側部それぞれに上下一対のファスニングテープの基端部を連結し、これらファスニングテープの先端側に、第一の接合部を設け、これらファスニングテープの基端側に、第一の接合部が掛止される第二の接合部を設け、腹側の両側部それぞれに、これらファスニングテープを挿し通すスリットを上下一対設け、各ファスニングテープの第一の接合部を各スリットに挿し通した後に折り返して、第二の接合部に接合することによって身体に装着するように構成した使い捨ておむつが記載されている。
【０００３】
特許文献１に記載の使い捨てプルオン式吸収性物品においては、閉じ込めアセンブリの各縦方向縁に配置される２本の腰パネル及び大腿パネルを共通する１個の締め付け部材を介して装着することができるので、操作が簡単である。しかしながら、特許文献１に記載の使い捨てプルオン式吸収性物品においては、２本の腰パネル及び大腿パネルそれぞれの長さを調整する機能を有しておらず、装着後のずり落ちを防止することが難しい。また、特許文献１には、装着後のサイズ調節について何ら記載されていない。
【０００４】
特許文献２に記載の使い捨ておむつも同様に、上下一対のファスニングテープの長さを調整する機能を有しておらず、装着後のずり落ちを防止することが難しい。また、特許文献２にも、装着後のサイズ調節について何ら記載されていない。
【先行技術文献】
【特許文献】
【０００５】
【特許文献１】特表平１０−５１０１９９号公報
【特許文献２】特開２００７−２６８２１６号公報
【発明の概要】
【発明が解決しようとする課題】
【０００６】
したがって、本発明の課題は、前述した従来技術が有する欠点を解消し得る吸収性物品を提供することにある。
【課題を解決するための手段】
【０００７】
本発明は、腹側部、背側部、及び股下部を有する長方形状の吸収性本体と、該吸収性本体を着用者に止着するベルトと、該ベルトを挿通し前記吸収性本体に固定されるベルトループ部とを備える吸収性物品であって、前記ベルトループ部は、前記吸収性本体に固定される固定止着材を有しており、前記ベルトは、調整止着材により、前記吸収性物品の装着時にベルトの長さが調整されるようになしてあり、前記ベルトは、前記吸収性本体の前記背側部の両側部それぞれに複数本配されており、複数本の前記ベルトそれぞれの長手方向の一端部は、前記背側部の側部に固定されており、複数本の該ベルトそれぞれが、前記吸収性本体に固定された前記ベルトループ部を介して、前記腹側部と前記背側部との間に架け渡されることにより装着される吸収性物品を提供するものである。
【発明の効果】
【０００８】
本発明の吸収性物品によれば、ベルトの長さの調整が容易にでき、装着後のずり落ちを防止することができる。また、本発明の吸収性物品によれば、ベルトの長さの調整が容易にでき、締め具合の調整や装着後のサイズ調節をすることができる。
【図面の簡単な説明】
【０００９】
【図１】図１は、本発明の第１実施形態である使い捨ておむつの斜視図である。
【図２】図２は、図１に示す使い捨ておむつの装着前の斜視図である。
【図３】図３は、図１に示す使い捨ておむつのベルトの拡大斜視図である。
【図４】図４は、図１に示す使い捨ておむつの吸収性本体を伸張させて拡げた状態を表面シート側から見た平面図である。
【図５】図５は、図１に示す使い捨ておむつの吸収性本体とベルトとの関係を説明するための要部拡大平面図である。
【図６】図６は、本発明の第２実施形態である使い捨ておむつの斜視図である。
【図７】図７は、図６に示す使い捨ておむつの装着前の斜視図である。
【図８】図８は、図６に示す使い捨ておむつのベルトの拡大斜視図である。
【図９】図９は、図６に示す使い捨ておむつの吸収性本体とベルトとの関係を説明するための要部拡大平面図である。
【図１０】図１０は、本発明の第３実施形態である使い捨ておむつの斜視図である。
【図１１】図１１は、図１０に示す使い捨ておむつの装着前の斜視図である。
【図１２】図１２は、図１０に示す使い捨ておむつのベルトの拡大斜視図である。
【図１３】図１３は、図１０に示す使い捨ておむつの吸収性本体とベルトとの関係を説明するための要部拡大平面図である。
【図１４】図１４は、本発明の第４実施形態である使い捨ておむつの斜視図である。
【図１５】図１５は、図１４に示す使い捨ておむつの装着前の斜視図である。
【図１６】図１６は、図１４に示す使い捨ておむつのベルトの拡大斜視図である。
【図１７】図１７は、図１４に示す使い捨ておむつの吸収性本体とベルトとの関係を説明するための要部拡大平面図である。
【発明を実施するための形態】
【００１０】
以下、本発明の吸収性物品を、その好ましい第１実施形態に基づき、図１〜図５を参照しながら説明する。
【００１１】
第１実施形態の使い捨ておむつ１Ａ（以下、「おむつ１Ａ」ともいう。）は、図１，図２に示すように、腹側部Ａ、背側部Ｂ、及び股下部Ｃを有する長方形状の吸収性本体２と、吸収性本体２を着用者に止着するベルト３と、ベルト３を挿通し吸収性本体２に固定されるベルトループ部４とを備えている。図３に示すように、ベルトループ部４は、吸収性本体２に固定される固定止着材４１を有している。ベルト３は、調整止着材３３により、装着時にベルト３の長さが調整されるようになしてある。おむつ１Ａにおいては、図１に示すように、一対のレッグ開口部ＬＯ，ＬＯが、吸収性本体２に固定されたベルトループ部４を介して、ベルト３が、腹側部Ａと背側部Ｂとの間に架け渡されることにより形成される。
おむつ１Ａは、図１に示すように、縦方向に延びる中心線ＣＬに対して左右対称に形成されている。従って以下の説明では、左右対称な部分については、主に、図１に示す右側の部分について説明する。
【００１２】
第１実施形態のおむつ１Ａについて、詳述すると、おむつ１Ａの吸収性本体２は、図４に示すように、平面状に拡げた状態において、長方形状であり、その長手方向（以下「Ｙ方向」ともいう。Ｙ方向：中心線ＣＬに平行な方向をいう。）に、装着時に、着用者の腹側に配される腹側部Ａと、着用者の背側に配される背側部Ｂと、腹側部Ａと背側部Ｂとの間に位置し、着用者の股間部に配される股下部Ｃを有している。尚、おむつ１Ａは、平面状に拡げた状態において、吸収性本体２と同方向に長い形状である。おむつ１Ａ及び吸収性本体２の幅方向は、その長手方向（Ｙ方向）に直交する方向（以下「Ｘ方向」ともいう。）である。
【００１３】
吸収性本体２は、おむつ１Ａにおいては、図４に示すように、液透過性の表面シート２１と、液不透過性又は撥水性の裏面シート２２と、これら両シート２１，２２間に介在された液保持性の吸収体２３とを有して構成されている。吸収体２３は、長手方向（Ｙ方向）に長い形状であり、長手方向（Ｙ方向）の両側縁が、長手方向（Ｙ方向）の中央部（股下部Ｃに対応する領域）近傍において、幅方向（Ｘ方向）内方に括れた砂時計形状に形成されている。表面シート２１及び裏面シート２２それぞれは、図４に示すように、吸収体２３の着用者の肌側に配される肌対向面の全面、及び着用者の肌とは反対側に向けられる非肌対向面の全面を覆っており、吸収体２３の周縁から延出している。また、吸収体２３の肌対向面側に配される表面シート２１は、図３に示すように、幅方向（Ｘ方向）の長さが裏面シート２２よりも短くなっている。
【００１４】
吸収性本体２は、おむつ１Ａにおいては、図４に示すように、長手方向（Ｙ方向）の側部２ｂに、表面シート２１を介してサイドシート２４が配されている。サイドシート２４は、図３に示すように、吸収性本体２（表面シート２１）の肌対向面側であって、側部２ｂの長手方向（Ｙ方向）の全域に亘って配されている。サイドシート２４は、図４に示すように、表面シート２１の幅方向（Ｘ方向）外方の端部２１ｂにおいて、表面シート２１と接合され、固定部２５を形成している。固定部２５は、長手方向（Ｙ方向）に直線状に延びて形成されている。サイドシート２４の幅方向（Ｘ方向）内方の端部は、図４に示すように、自由端となっている。図４に示すように、股下部Ｃにおける自由端近傍には立体ギャザー形成用の弾性部材５１が伸長状態で配設固定されており、装着時には、その弾性部材５１の収縮力により、自由端から所定幅の部分が表面シート２から離間して立体ギャザーが形成される。
【００１５】
吸収性本体２には、図４に示すように、背側部Ｂにおいて、固定部２５から幅方向（Ｘ方向）外方に延出したサイドシート２４と裏面シート３とが接合され、サイドフラップ部２６が形成されている。同様に、腹側部Ａにおいても、サイドフラップ部２６が形成されている。
【００１６】
吸収性本体２には、図４に示すように、股下部Ｃにおいて、固定部２５から幅方向（Ｘ方向）外方に延出したサイドシート２４と裏面シート３とが接合され、レッグフラップ部２７が形成されている。レッグフラップ部２７には、図４に示すように、股下部Ｃにおいて、レッグギャザー形成用の弾性部材５２が伸長状態で、長手方向（Ｙ方向）に配設固定されており、装着時には、その弾性部材５２の収縮力により、レッグギャザーが形成される。
【００１７】
吸収性本体２には、腹側部Ａの長手方向（Ｙ方向）外方領域における両側部２ｂ，２ｂ間に、図４に示すように、幅方向（Ｘ方向）に延びる伸縮部材５３が配されている。同様に、背側部Ｂの長手方向（Ｙ方向）外方領域における両側部２ｂ，２ｂ間には、図４に示すように、幅方向（Ｘ方向）に延びる伸縮部材５３が配されている。伸縮部材５３は、複数本からなり、複数本の弾性部材５３が、図４に示すように、表面シート２１と裏面シート２２との間に長手方向（Ｙ方向）に間欠的に並設固定されている。
【００１８】
吸収性本体２は、おむつ１Ａにおいては、図１，図２に示すように、腹側部Ａの外面に、両側部２ｂ，２ｂ間に亘って、後述するベルトループ部４の固定止着材４１を止着するターゲットテープ６を有している。
【００１９】
吸収性本体２を着用者に止着するベルト３は、吸収性本体２の背側部Ｂの両側部２ｂ，２ｂそれぞれに複数本配されており、２〜４本配されていることが好ましく、おむつ１Ａにおいては、図１，図２に示すように、吸収性本体２の背側部Ｂの両側部２ｂ，２ｂそれぞれに２本配されている。２本のベルト３は、吸収性本体２の長手方向（Ｙ方向）に間隔を開けて並置されている。尚、以下の説明においては、ウエスト開口部ＷＯ寄りのベルト３を上側ベルト３１、股下部４寄りのベルト３を下側ベルト３２として説明する。図３に示すように、上側ベルト３１及び下側ベルト３２それぞれは、おむつ１Ａの幅方向（Ｘ方向）に長い帯状に形成されている。以下の説明では、上側ベルト３１及び下側ベルト３２それぞれの長手方向を、各図に示す「Ｘ方向」として説明し、ベルト３の幅方向を、各図に示す「Ｙ方向」として説明する。
【００２０】
上側ベルト３１及び下側ベルト３２それぞれのＸ方向の一端部３１ａ，３２ａは、図２に示すように、吸収性本体２の背側部Ｂの側部２ｂに固定されている。具体的には、上側ベルト３１及び下側ベルト３２それぞれの一端部３１ａ，３２ａは、背側部Ｂの側部２ｂにおいて、裏面シート２２とサイドシート２４との間に配され固定されている。上側ベルト３１及び下側ベルト３２それぞれは、装着時に、背側部Ｂの端縁２ａに沿って延びる仮想直線Ｌと平行に延びるように固定されている。具体的には、図５に示すように、上側ベルト３１及び下側ベルト３２それぞれの一端部３１ａ，３２ａが、吸収性本体２における背側部Ｂの長手方向（Ｙ方向）端縁２ａに沿って延びる仮想直線Ｌに、即ち、図５においてはＸ方向に、平行となるように吸収性本体２に固定されている。このように上側ベルト３１及び下側ベルト３２それぞれの一端部３１ａ，３２ａがＸ方向に平行に固定されていることにより、装着時に、他端部３１ｂ，３２ｂ側を引っ張ると、帯状の上側ベルト３１及び下側ベルト３２それぞれが、背側部Ｂの端縁２ａに沿って延びる仮想直線Ｌ（Ｘ方向）と平行に延びるようになる。
【００２１】
帯状の上側ベルト３１及び下側ベルト３２は、おむつ１Ａにおいては、図３に示すように、Ｘ方向の長さ及びＹ方向の長さが同一である。
上側ベルト３１及び下側ベルト３２は、扱いやすさの観点から、Ｘ方向の長さが、３０ｃｍ〜２００ｃｍであることが好ましく、特に、ベビー用としては、３０ｃｍ〜９０ｃｍであることが更に好ましい。また、上側ベルト３１及び下側ベルト３２は、部分的圧力、フィット性、動きやすさの観点から、Ｙ方向の幅が、１０ｍｍ〜１００ｍｍであることが好ましく、２０ｍｍ〜５０ｍｍであることが更に好ましい。
【００２２】
上側ベルト３１及び下側ベルト３２それぞれのＸ方向の他端部３１ｂ，３２ｂには、おむつ１Ａに対向する面と反対側の面（以下、「外表面」ともいう。）に調整止着材３３をそれぞれ有している。上側ベルト３１及び下側ベルト３２は、それぞれ、調整止着材３３により、装着時にベルト３の長さが調整されるようになしてある。上述したように、上側ベルト３１及び下側ベルト３２それぞれの他端部３１ｂ，３２ｂの外表面に配された調整止着材３３は、安定して止着する観点から、配置面積が１ｃｍ2〜１００ｃｍ2であることが好ましく、４ｃｍ2〜２５ｃｍ2であることが更に好ましい。
尚、後述するベルトループ部４に挿通した上側ベルト３１及び下側ベルト３２の他端部３１ｂ，３２ｂを抜け難くする観点から、調整止着材３３を配したベルト３の他端部３１ｂ，３２ｂのＹ方向の長さが、後述するベルトループ部４のループ材４２１，４２２の広さ（ループの直径）よりも長く形成されていることが好ましい。
【００２３】
ベルト３を挿通し吸収性本体２に固定されるベルトループ部４は、図２，図３に示すように、上側ベルト３１及び下側ベルト３２の他端部３１ｂ，３２ｂそれぞれを挿通する２個のループ状のループ材４２１，４２２を有している。ベルトループ部４は、扱いやすさの観点から、Ｘ方向の長さが、５ｍｍ〜５０ｍｍであることが好ましく、２０ｍｍ〜３０ｍｍであることが更に好ましく、扱いやすさの観点から、ループ材４２１，４２２のループの直径が、１０ｍｍ〜１００ｍｍであることが好ましく、２０ｍｍ〜５０ｍｍであることが更に好ましい。ここで、ループの直径とは、ループ材４２１，４２２のループの中で最も広い部分の長さのことを示す。
【００２４】
ベルトループ部４は、図２，図３に示すように、吸収性本体２に固定される固定止着材４１を有している。固定止着材４１は、ベルトループ部４の吸収性本体２に対向する面に配されており、固定止着材４１は、安定して止着する観点から、配置面積が１ｃｍ2〜１００ｃｍ2であることが好ましく、４ｃｍ2〜２５ｃｍ2であることが更に好ましい。
【００２５】
ベルトループ部４は、おむつ１Ａにおいては、図１に示すように、腹側部Ａの両側部２ｂ，２ｂそれぞれに配される。各ベルトループ部４は、図３に示すように、ループ材４２１，４２２と、固定止着材４１と、ループ材４２１，４２２を固定すると共に固定止着材４１を固定する基材部４３とからなる。基材部４３は、ベルトループ部４の輪郭に一致する形状を有している。各ベルトループ部４の基材部４３は、図３に示すように、ループ材４２１とループ材４２２とをＹ方向に間隔を開けて並置固定している部分４３ａと、部分４３ａよりもＸ方向外方に延在する部分４３ｂとからなる。このように、各ベルトループ部４がＸ方向の外方に延在する部分４３ｂを有していることにより、つまみやすさと剥がれ難さを両立することができる。また、おむつ１Ａにおいては、基材部４３の部分４３ｂのＹ方向の長さが、安定して止着する観点から、基材部４３の部分４３ａのＹ方向の長さより長くなるように形成されている。
【００２６】
上側ベルト３１及び下側ベルト３２は、それぞれ、おむつ１Ａの装着時にベルトの長さが調整されるようになしてある。具体的には、図２，図３に示すように、おむつ１Ａにおいては、上側ベルト３１の長さが、ベルトループ部４のループ材４２１に挿通されたベルトの部分を、ループ材４２１で折返し、調整止着材３３を介して、上側ベルト３１の外表面に折返したベルトの部分を止着することにより調整される。同様に、おむつ１Ａにおいては、下側ベルト３２の長さが、ベルトループ部４のループ材４２２に挿通されたベルトの部分を、ループ材４２２で折返し、調整止着材３３を介して、下側ベルト３２の外表面に折返したベルトの部分を止着することにより調整される。このようにしてベルトの長さを調整するので、上側ベルト３１及び下側ベルト３２の長さをそれぞれ調整でき、また、おむつ１Ａの装着時のみならず、おむつ１Ａの装着後においても上側ベルト３１及び下側ベルト３２の長さをそれぞれ調整できる。
【００２７】
おむつ１Ａは、図１に示すように、上側ベルト３１及び下側ベルト３２が、吸収性本体２に固定されたベルトループ部４を介して、腹側部Ａと背側部Ｂとの間に架け渡されることにより装着される。具体的には、図１，図２に示すように、Ｘ方向の一端部３１ａ，３２ａが吸収性本体２の背側部Ｂの側部２ｂに固定され、図３に示すように、長さの調整された上側ベルト３１及び下側ベルト３２が、ベルトループ部４を介して、吸収性本体２の腹側部Ａの側部２ｂに配され固定されることにより、腹側部Ａと背側部Ｂとの間に架け渡され、おむつ１Ａに一対のレッグ開口部ＬＯ，ＬＯとウエスト開口部ＷＯとが形成されることにより、おむつ１Ａが装着される。ベルトループ部４は、固定止着材４１を介して吸収性本体２に固定される。
【００２８】
第１実施形態のおむつ１Ａの形成材料について説明する。
表面シート２１、裏面シート２２、吸収体２３、立体ギャザーやレッグギャザーを形成するサイドシート２４としては、通常、使い捨ておむつ等の吸収性物品に用いられるものであれば、特に制限なく用いることができる。例えば、表面シート２１としては、液透過性の不織布や、開孔フィルム、これらの積層体等を用いることができ、裏面シート２２としては、樹脂フィルムや樹脂フィルムと不織布の積層体等を用いることができる。吸収体２３としては、パルプ等の繊維材料の繊維集合体又はこれに高吸収性ポリマーを担持させたものからを、ティッシュペーパーや透水性の不織布等の被覆材で包んでなるもの等を用いることができる。サイドシート２４としては、伸縮性のフィルム、不織布、織物またはそれらの積層シート等を用いることができる。立体ギャザー形成用の弾性部材５１、レッグギャザー形成用の弾性部材５２及び弾性部材５３としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状又は帯状の伸縮性材料を用いることができる。
【００２９】
立体ギャザー形成用の弾性部材５１、レッグギャザー形成用の弾性部材５２及び弾性部材５３の固定に使用する接着剤としては、通常、使い捨ておむつ等の吸収性物品に用いられるものであれば、特に制限なく用いることができる。
【００３０】
表面シート２１とサイドシート２４との固定部２５は、通常、使い捨ておむつ等の吸収性物品に用いられる接着剤、熱融着等により表面シート２１とサイドシート２４とを接合することにより形成される。
【００３１】
ベルト３（上側ベルト３１及び下側ベルト３２）としては、通常、使い捨ておむつ等の吸収性物品に用いられるものであり、調整止着材３３が止着できるものであれば、特に制限なく用いることができる。例えば、ベルト３（上側ベルト３１及び下側ベルト３２）としては、不織布や、フィルム、これらの積層体等を用いることができ、調整止着材３３の止着性の観点、及び、ベルトループ部４との摩擦抵抗を低くし、滑り易くする観点から、表面をエンボス加工したスパンボンド不織布を用いることが好ましい。ベルト３としてスパンボンド不織布を用いる場合には、目付が、２５ｇ／ｍ2〜１００ｇ／ｍ2であることが好ましく、３０ｇ／ｍ2〜６０ｇ／ｍ2であることが更に好ましい。
【００３２】
ベルトループ部４としては、通常、使い捨ておむつ等の吸収性物品に用いられるものであれば、特に制限なく用いることができる。例えば、ベルトループ部４としては、不織布や、フィルム、これらの積層体等を用いることができ、柔らかさと強度の観点から、スパンボンド不織布を用いることが好ましい。ベルトループ部４としてスパンボンド不織布を用いる場合には、目付が、６０ｇ／ｍ2〜１００ｇ／ｍ2であることが好ましい。
【００３３】
調整止着材３３及び固定止着材４１としては、フック材からなるファスニングテープや粘着剤を用いることができ、おむつ１Ａにおいては、ファスニングテープを用いている。ファスニングテープを形成するフック材としては、通常、使い捨ておむつ等の吸収性物品に用いられるものであれば、特に制限なく用いることができる。例えば、フック材としては、「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。尚、粘着剤としては、通常、使い捨ておむつ等の吸収性物品に用いられるものであれば、特に制限なく用いることができる。
調整止着材３３及び固定止着材４１に、ファスニングテープ及び粘着剤の何れを用いる場合であっても、装着後のサイズ調整の際に、調整止着材３３はベルト３からはがしやすく、固定止着材４１は吸収性本体２からはがれないようにする観点から、調整止着材３３の接合強度よりも固定止着材４１の接合強度の方が高いものを用いることが好ましい。
【００３４】
ベルト３（上側ベルト３１及び下側ベルト３２）と調整止着材３３との固定は、通常、使い捨ておむつ等の吸収性物品に用いられるものであれば、特に制限なく用いることができ、例えば、ホットメルト、縫製により固定することができる。また、ベルトループ部４の基材部４３と固定止着材４１との固定、及び基材部４３とループ材４２１，４２２との固定も、ベルト３と調整止着材３３との固定と同様に、例えば、ホットメルト、縫製により固定することができる。
【００３５】
ターゲットテープ６としては、固定止着材４１がフック材からなるファスニングテープの場合には、フック材の係合突起（不図示）に係合可能な表面構造を有するループ材からなり、このようなループ材としては、フック材を押しつけることにより、フック材を止着可能なものを特に制限なく用いることができる。例えば、例えば上述した各種公知の機械的面ファスナーにおけるメス部材を用いることができる。
【００３６】
上述した本発明の第１実施形態のおむつ１Ａを使用した際の作用効果について説明する。
第１実施形態のおむつ１Ａは、図１，図２に示すように、上側ベルト３１及び下側ベルト３２それぞれが、調整止着材３３によりベルトの長さが調整されるように形成されており、ベルトループ部４を介して腹側部Ａと背側部Ｂとの間に架け渡される。そのため、各ベルトの長さの調整が容易にでき、上側ベルト３１及び下側ベルト３２それぞれの締め付け具合を調整でき、装着後のずり落ちを防止することができる。また、第１実施形態のおむつ１Ａは、図３に示すように、上側ベルト３１及び下側ベルト３２それぞれが、調整止着材３３とベルトループ部４とにより、ベルトの長さの調整が容易にでき、おむつ１Ａの装着時のみならず、おむつ１Ａの装着後においても上側ベルト３１及び下側ベルト３２の長さをそれぞれ調整できる。
【００３７】
また、第１実施形態のおむつ１Ａは、図２に示すように、上側ベルト３１及び下側ベルト３２それぞれが、装着時に、背側部Ｂの端縁２ａに沿って延びる仮想直線Ｌと平行に延びるように固定されている。その為、上側ベルト３１の締め付け力を下側ベルト３２の締め付け力よりも弱くし、締め付け力の弱い上側ベルト３１を着用者のウエストに配し、締め付け力の強い下側ベルト３２を着用者の腸骨上に配することにより、おむつ１Ａのずり落ちを効果的に防止することができる。
【００３８】
また、第１実施形態のおむつ１Ａは、図３に示すように、上側ベルト３１及び下側ベルト３２それぞれが、共通の１個のベルトループ部４を介して吸収性本体２に固定されるので、操作が簡単である。
【００３９】
また、第１実施形態のおむつ１Ａは、装着が左右それぞれ一度の止着で完了するので簡単である。また、上側ベルト３１及び下側ベルト３２それぞれの締め具合を調整できるのでウエスト回りは弱く、腸骨領域は強く締めることができ、お腹回りを強く締め付けることなくおむつのずり落ちを防止できる。
【００４０】
次に、本発明の第２実施形態の吸収性物品について、図６〜図９に基づいて説明する。
第２実施形態の使い捨ておむつ１Ｂ（以下、「おむつ１Ｂ」ともいう）については、第１実施形態の使い捨ておむつ１Ａと異なる点について説明する。特に説明しない点は、第１実施形態の使い捨ておむつ１Ａと同様であり、おむつ１Ａの説明が適宜適用される。また、図６〜図９において、図１〜図５と同じ部分には同じ符号を付してある。
【００４１】
おむつ１Ｂにおいては、図６，図７に示すように、吸収性本体２の背側部Ｂの両側部２ｂ，２ｂそれぞれに、上側ベルト３１、下側ベルト３２の２本のベルトを備えている。上側ベルト３１の一端部３１ａ及び下側ベルト３２の一端部３２ａが異なる位置で固定され、図７，図８に示すように、上側ベルト３１の他端部と下側ベルト３２の他端部とが連結されており、共通の１個の調整止着材３３によりベルトの長さが調整されるようになしてある。具体的には、上側ベルト３１及び下側ベルト３２それぞれのＸ方向の一端部３１ａ，３２ａは、図６，図７に示すように、背側部Ｂの側部２ｂにおいて、裏面シート２２とサイドシート２４との間に配され、吸収性本体２の長手方向（Ｙ方向）に間隔を開けて配されて、固定されている。
【００４２】
おむつ１Ｂの上側ベルト３１は、装着時に、背側部Ｂの端縁２ａに沿って延びる仮想直線Ｌと平行に延びるように固定されている。具体的には、図９に示すように、上側ベルト３１の一端部３１ａが、吸収性本体２における背側部Ｂの長手方向（Ｙ方向）端縁２ａに沿って延びる仮想直線Ｌに、即ち、図９においてはＸ方向に、平行となるように吸収性本体２に固定されている。このように上側ベルト３１の一端部３１ａがＸ方向に平行に固定されていることにより、装着時に、上側ベルト３１の他端部（後述する端部３４ｂ）側を引っ張ると、帯状の上側ベルト３１が、背側部Ｂの端縁２ａに沿って延びる仮想直線Ｌ（Ｘ方向）と平行に延びるようになる。
【００４３】
おむつ１Ｂの下側ベルト３２は、装着時に、背側部Ｂの端縁２ａに沿って延びる仮想直線Ｌと交差する方向に延びるように固定されている。具体的には、図９に示すように、下側ベルト３２の一端部３２ａは、一端部３２ａ側から他端部３２ｂに向かって下側ベルト３２の延びる方向と、吸収性本体２における背側部Ｂの長手方向（Ｙ方向）端縁２ａに沿って延びる仮想直線Ｌとが交差するように、吸収性本体２に固定されている。図９に示すように、下側ベルト３２の一端部３２ａと背側部Ｂの端縁２ａに沿って延びる仮想直線Ｌとがなす角度αは、腸骨領域で吸収性本体２を保持する観点から、１０〜４０°であることが好ましく、１５〜２５°であることが更に好ましい。このように下側ベルト３２の一端部３２ａが端縁２ａに沿って延びる仮想直線Ｌと交差するように固定されていることにより、装着時に、下側ベルト３２の他端部（後述する端部３４ｂ）側を引っ張ると、帯状の下側ベルト３２が、背側部Ｂの端縁２ａに沿って延びる仮想直線Ｌと交差する方向に延びるようになる。
【００４４】
図７，図８に示すように、上側ベルト３１の他端部と下側ベルト３２の他端部においては互いに接しており、上側ベルト３１及び下側ベルト３２の連結された他端部３４ｂが形成されている。上側ベルト３１及び下側ベルト３２の共通の他端部３４ｂには、おむつ１Ａに対向する面と反対側の面（以下、「外表面」ともいう。）に共通の１個の調整止着材３３を有している。上側ベルト３１及び下側ベルト３２は、共通の１個の調整止着材３３により、装着時にベルト３の長さが調整されるようになしてある。
【００４５】
おむつ１Ｂにおいては、ベルト３を挿通し吸収性本体２に固定されるベルトループ部４は、図７，図８に示すように、上側ベルト３１及び下側ベルト３２の他端部３４ｂを挿通する共通の１個のループ状のループ材４２を有している。ベルトループ部４は、おむつ１Ｂにおいては、図６に示すように、腹側部Ａの両側部２ｂ，２ｂそれぞれに配される。
【００４６】
上側ベルト３１及び下側ベルト３２は、それぞれ、おむつ１Ｂの装着時にベルトの長さが調整されるようになしてある。図７，図８に示すように、おむつ１Ｂにおいては、上側ベルト３１及び下側ベルト３２の長さが、ベルトループ部４の１個のループ材４２に挿通されたベルトの部分を、ループ材４２で折返し、共通する調整止着材３３を介して、上側ベルト３１又は下側ベルト３２の外表面に折返したベルトの部分を止着することにより調整される。
【００４７】
第２実施形態の使い捨ておむつ１Ｂの形成材料について説明する。第２実施形態のおむつ１Ｂについては、第１実施形態の使い捨ておむつ１Ａの形成材料と同様であり、おむつ１Ａの説明が適宜適用される。
【００４８】
上述した本発明の第２実施形態の使い捨ておむつ１Ｂを使用した際の作用効果について説明する。
第２実施形態のおむつ１Ｂの効果については、第１実施形態のおむつ１Ａの効果と異なる点について説明する。特に説明しない点は、第１実施形態のおむつ１Ａの効果と同様であり、第１実施形態の展開型の使い捨ておむつ１Ａの効果の説明が適宜適用される。
【００４９】
第２実施形態のおむつ１Ｂは、図８に示すように、上側ベルト３１及び下側ベルト３２が、共通の１個の調整止着材３３により、ベルト３の長さを調整できるようになしてあるので、操作が簡単である。
【００５０】
また、第２実施形態のおむつ１Ｂは、上側ベルト３１が、装着時に、背側部Ｂの端縁２ａに沿って延びる仮想直線Ｌと平行に延びるように固定されており、下側ベルト３２が、装着時に、背側部Ｂの端縁２ａに沿って延びる仮想直線Ｌと交差ように固定されている。そのため、元の上側ベルト３１及び下側ベルト３２のＹ方向の長さが同一である場合には、装着時に、共通の１個の調整止着材３３によりベルトの長さを調整すると、平行に配される上側ベルト３１の締め付け力よりも、一端部３２ａから他端部３２ｂに向かって斜め上方に配される下側ベルト３２の締め付け力を上げることができる。その為、締め付け力の弱い上側ベルト３１を着用者のウエストに配し、締め付け力の強い斜めに配される下側ベルト３２を着用者の大転子上に配することにより、動きやすいと共に、おむつ１Ａのずり落ちを効果的に防止することができる。ここで、大転子とは、解剖学の用語であり、大腿骨の外側の出っ張り近傍に位置する部分である。
【００５１】
尚、元の上側ベルト３１及び下側ベルト３２のＹ方向の長さが異なる場合であっても、上側ベルト３１及び下側ベルト３２に、Ｘ方向に伸縮性のある部材を用い、上側ベルト３１の伸縮応力よりも強い伸縮応力を有する下側ベルト３２を用いることにより、平行に配される上側ベルト３１の締め付け力よりも斜めに配される下側ベルト３２の締め付け力を上げることができる。伸縮性のある部材としては、通常、使い捨ておむつ等の吸収性物品に用いられるものであれば、特に制限なく用いることができる。例えば、帯状のゴム、弾性部材を配した不織布等を用いることができる。弾性部材を配した不織布は、例えば特開２００８−１７９１２８によって得ることができる。さらに、ベルト３のほぼ中央から上側ベルト３１の長手方向の一端部３１ａ側あるいは下側ベルト３２の長手方向の一端部３２ａ側にのみ弾性部材を配することもできる。
【００５２】
また、第２実施形態のおむつ１Ｂは、装着が左右それぞれ一度の止着で完了するので簡単であり、一度のサイズ調整でウエストは弱く、腸骨領域は強く締め具合を調節できるので、お腹回りは締め付けずにずり落ちを防止できる。
【００５３】
次に、本発明の第３実施形態の吸収性物品について、図１０〜図１３に基づいて説明する。
第３実施形態の使い捨ておむつ１Ｃ（以下、「おむつ１Ｃ」ともいう）については、第１実施形態の使い捨ておむつ１Ａと異なる点について説明する。特に説明しない点は、第１実施形態の使い捨ておむつ１Ａと同様であり、おむつ１Ａの説明が適宜適用される。また、図１０〜図１３において、図１〜図５と同じ部分には同じ符号を付してある。
【００５４】
第３実施形態のおむつ１Ｃは、図１０に示すように、腹側部Ａの外面にベルトループ部４の固定止着材４１を止着するターゲットテープ６を有しておらず、ターゲットテープ６の代わりに、樹脂フィルムを不織布で覆った積層体を裏面シート３に用いている。
【００５５】
おむつ１Ｃにおいては、図１０，図１１に示すように、吸収性本体２の背側部Ｂの両側部２ｂ，２ｂそれぞれに、上側ベルト３１、下側ベルト３２の２本のベルトを備えている。おむつ１Ｃにおいては、上側ベルト３１の一端部３１ａ及び下側ベルト３２の一端部３２ａが同じ位置で固定されている。具体的には、上側ベルト３１及び下側ベルト３２それぞれのＸ方向の一端部３１ａ，３２ａは、図１０，図１１に示すように、背側部Ｂの側部２ｂの端縁２ａ近傍において、裏面シート２２とサイドシート２４との間に配され、同じ位置で固定されている。
【００５６】
おむつ１Ｃの上側ベルト３１は、装着時に、背側部Ｂの端縁２ａに沿って延びる仮想直線Ｌと平行に延びるように固定されている。具体的には、図１３に示すように、上側ベルト３１の一端部３１ａが、吸収性本体２における背側部Ｂの長手方向（Ｙ方向）端縁２ａに沿って延びる仮想直線Ｌに、即ち、図１３においてはＸ方向に、平行となるように吸収性本体２に固定されている。このように上側ベルト３１の一端部３１ａがＸ方向に平行に固定されていることにより、装着時に、上側ベルト３１の他端部３１ｂ側を引っ張ると、帯状の上側ベルト３１が、背側部Ｂの端縁２ａに沿って延びる仮想直線Ｌ（Ｘ方向）と平行に延びるようになる。
【００５７】
おむつ１Ｃの下側ベルト３２は、装着時に、背側部Ｂの端縁２ａに沿って延びる仮想直線Ｌと交差する方向に延びるように固定されている。具体的には、図１３に示すように、下側ベルト３２の一端部３２ａは、他端部３２ｂ側から一端部３２ａに向かって下側ベルト３２の延びる方向と、吸収性本体２における背側部Ｂの長手方向（Ｙ方向）端縁２ａに沿って延びる仮想直線Ｌとが交差するように、吸収性本体２に固定されている。図１３に示すように、下側ベルト３２の一端部３２ａと背側部Ｂの端縁２ａに沿って延びる仮想直線Ｌとがなす角度βは、腸骨領域で吸収性本体２を保持する観点から、１０〜４０°であることが好ましく、１５〜２５°であることが更に好ましい。このように下側ベルト３２の一端部３２ａが端縁２ａに沿って延びる仮想直線Ｌと交差するように固定されていることにより、装着時に、下側ベルト３２の他端部３２ｂ側を引っ張ると、帯状の下側ベルト３２が、背側部Ｂの端縁２ａと交差する方向に延びるようになる。
【００５８】
おむつ１Ｃの上側ベルト３１及び下側ベルト３２それぞれのＸ方向の他端部３１ｂ，３２ｂには、おむつ１Ａに対向する面と反対側の面（以下、「外表面」ともいう。）に調整止着材３３をそれぞれ有している。
【００５９】
おむつ１Ｃにおいては、ベルト３を挿通し吸収性本体２に固定されるベルトループ部４は、図１１，図１２に示すように、上側ベルト３１の他端部３４ｂを挿通する上ベルトループ部４０１と、下側ベルト３２の他端部３４ｂを挿通する下ベルトループ部４０２とを有している。上ベルトループ部４０１及び下ベルトループ部４０２は、それぞれ、図１１，図１２に示すように、上側ベルト３１及び下側ベルト３２の他端部３１ｂ，３２ｂそれぞれを挿通する２個のループ状のループ材４２１，４２２を有している。また、上ベルトループ部４０１及び下ベルトループ部４０２は、それぞれ、吸収性本体２に固定される固定止着材４１と、固定止着材４１を固定する基材部４３とを有している。
【００６０】
上ベルトループ部４０１及び下ベルトループ部４０２は、それぞれ、図１０に示すように、おむつ１Ｃにおいては、腹側部Ａの両側部２ｂ，２ｂそれぞれに配され、吸収性本体２の長手方向（Ｙ方向）に間隔を開けて配される。
【００６１】
上側ベルト３１及び下側ベルト３２は、それぞれ、おむつ１Ｃの装着時にベルトの長さが調整されるようになしてある。図１１，図１２に示すように、おむつ１Ｃにおいては、上側ベルト３１の長さが、上ベルトループ部４０１のループ材４２１に挿通されたベルトの部分を、ループ材４２１で折返し、調整止着材３３を介して、上側ベルト３１の外表面に折返したベルトの部分を止着することにより調整される。同様に、下側ベルト３２の長さが、下ベルトループ部４０２のループ材４２２に挿通されたベルトの部分を、ループ材４２２で折返し、調整止着材３３を介して、下側ベルト３２の外表面に折返したベルトの部分を止着することにより調整される。
【００６２】
第３実施形態の使い捨ておむつ１Ｃの形成材料について説明する。第３実施形態のおむつ１Ｃについては、第１実施形態の使い捨ておむつ１Ａの形成材料と同様であり、おむつ１Ａの説明が適宜適用される。
【００６３】
上述した本発明の第３実施形態の使い捨ておむつ１Ｃを使用した際の作用効果について説明する。
第３実施形態のおむつ１Ｃの効果については、第１実施形態のおむつ１Ａの効果と異なる点について説明する。特に説明しない点は、第１実施形態のおむつ１Ａの効果と同様であり、第１実施形態の展開型の使い捨ておむつ１Ａの効果の説明が適宜適用される。
【００６４】
第３実施形態のおむつ１Ｃは、図１０，図１１に示すように、上側ベルト３１及び下側ベルト３２それぞれの一端部３１ａ，３２ａが背側部Ｂの側部２ｂの端縁２ａ近傍において、同じ位置で固定されているので、おむつ１Ｃの装着時に背中側の隙間を防止することができる。第３実施形態のおむつ１Ｃは、図１１，図１２に示すように、上側ベルト３１及び下側ベルト３２それぞれが調整止着材３３を有しているので、各ベルトの長さを調整することができる。
【００６５】
また、第３実施形態のおむつ１Ｃは、図１０，図１１に示すように、上側ベルト３１が、装着時に、背側部Ｂの端縁２ａに沿って延びる仮想直線Ｌと平行に延びるように固定されており、下側ベルト３２が、装着時に、背側部Ｂの端縁２ａに沿って延びる仮想直線Ｌと交差する方向に延びるように固定されている。そのため、各ベルトの長さを調整し、平行に配される上側ベルト３１の締め付け力よりも、一端部３２ａから他端部３２ｂに向かって斜め下方に配される下側ベルト３２の締め付け力を上げ、締め付け力の弱い上側ベルト３１を着用者のウエストに配し、締め付け力の強い斜め下方に配される下側ベルト３２を股下部Ｃ側に配することにより、体液吸収後の吸収体２３を下から上に引っ張り上げることができる。即ち、ウエスト回りを緩めながらもおむつ１Ｃのずり落ちを防止することができる。
【００６６】
また、第３実施形態のおむつ１Ｃは、上側ベルト３１が腸骨領域で吸収体２３を上に引っ張り上げ支えるのでずり落ちを防止でき、下側ベルト３２はウエスト回りを弱くとめることができるので装着者のお腹を締め付けることがない。
【００６７】
次に、本発明の第４実施形態の吸収性物品について、図１４〜図１７に基づいて説明する。
第４実施形態の使い捨ておむつ１Ｄ（以下、「おむつ１Ｄ」ともいう）については、第１実施形態の使い捨ておむつ１Ａと異なる点について説明する。特に説明しない点は、第１実施形態の使い捨ておむつ１Ａと同様であり、おむつ１Ａの説明が適宜適用される。また、図１４〜図１７において、図１〜図５と同じ部分には同じ符号を付してある。
【００６８】
第４実施形態のおむつ１Ｄは、図１４に示すように、腹側部Ａの外面にベルトループ部４の固定止着材４１を止着するターゲットテープ６を有しておらず、ターゲットテープ６の代わりに、樹脂フィルムを不織布で覆った積層体を裏面シート３に用いている。
【００６９】
おむつ１Ｄにおいては、図１４，図１５に示すように、吸収性本体２の背側部Ｂの両側部２ｂ，２ｂそれぞれに、上側ベルト３１、下側ベルト３２の２本のベルトを備えている。おむつ１Ｄにおいては、上側ベルト３１の一端部３１ａ及び下側ベルト３２の一端部３２ａが異なる位置で固定されている。具体的には、上側ベルト３１及び下側ベルト３２それぞれのＸ方向の一端部３１ａ，３２ａは、図１４，図１５に示すように、背側部Ｂの側部２ｂにおいて、裏面シート２２とサイドシート２４との間に配され、吸収性本体２の長手方向（Ｙ方向）に間隔を開けて配されて、固定されている。
【００７０】
おむつ１Ｄの上側ベルト３１は、装着時に、背側部Ｂの端縁２ａに沿って延びる仮想直線Ｌと交差する方向に延びるように固定されている。具体的には、図１７に示すように、上側ベルト３１の一端部３１ａは、他端部３１ｂ側から一端部３１ａに向かって上側ベルト３１の延びる方向と、吸収性本体２における背側部Ｂの長手方向（Ｙ方向）端縁２ａに沿って延びる仮想直線Ｌとが交差するように、吸収性本体２に固定されている。図１７に示すように、上側ベルト３１の一端部３１ａと背側部Ｂの端縁２ａに沿って延びる仮想直線Ｌとがなす角度γは、腸骨領域で吸収性本体２を保持する観点から、１０〜４０°であることが好ましく、１５〜２５°であることが更に好ましい。このように上側ベルト３１の一端部３１ａが端縁２ａに沿って延びる仮想直線Ｌと交差するように固定されていることにより、装着時に、上側ベルト３１の他端部３１ｂ側を引っ張ると、帯状の上側ベルト３１が、背側部Ｂの端縁２ａに沿って延びる仮想直線Ｌと交差する方向に延びるようになる。
【００７１】
おむつ１Ｄの下側ベルト３２は、装着時に、背側部Ｂの端縁２ａに沿って延びる仮想直線Ｌと平行に延びるように固定されている。具体的には、図１７に示すように、下側ベルト３２の一端部３２ａが、吸収性本体２における背側部Ｂの長手方向（Ｙ方向）端縁２ａに沿って延びる仮想直線Ｌに、即ち、図１３においてはＸ方向に、平行となるように吸収性本体２に固定されている。このように下側ベルト３２の一端部３２ａがＸ方向に平行に固定されていることにより、装着時に、下側ベルト３２の他端部３２ｂ側を引っ張ると、帯状の下側ベルト３２が、背側部Ｂの端縁２ａに沿って延びる仮想直線Ｌ（Ｘ方向）と平行に延びるようになる。
【００７２】
おむつ１Ｄの上側ベルト３１及び下側ベルト３２それぞれのＸ方向の他端部３１ｂ，３２ｂには、おむつ１Ａに対向する面と反対側の面（以下、「外表面」ともいう。）に調整止着材３３をそれぞれ有している。
【００７３】
おむつ１Ｄにおいては、ベルト３を挿通し吸収性本体２に固定されるベルトループ部４は、図１５，図１６に示すように、上側ベルト３１の他端部３４ｂを挿通する上ベルトループ部４０１と、下側ベルト３２の他端部３４ｂを挿通する下ベルトループ部４０２とを有している。上ベルトループ部４０１及び下ベルトループ部４０２は、それぞれ、図１５，図１６に示すように、上側ベルト３１及び下側ベルト３２の他端部３１ｂ，３２ｂそれぞれを挿通する２個のループ状のループ材４２１，４２２を有している。また、上ベルトループ部４０１及び下ベルトループ部４０２は、それぞれ、吸収性本体２に固定される固定止着材４１と、固定止着材４１を固定する基材部４３とを有している。
【００７４】
上ベルトループ部４０１及び下ベルトループ部４０２は、それぞれ、図１４に示すように、おむつ１Ｄにおいては、腹側部Ａの両側部２ｂ，２ｂそれぞれに配され、上ベルトループ部４０１を下ベルトループ部４０２よりも下方にして、吸収性本体２の長手方向（Ｙ方向）に間隔を開けて配される。
【００７５】
上側ベルト３１及び下側ベルト３２は、それぞれ、おむつ１Ｄの装着時にベルトの長さが調整されるようになしてある。図１５，図１６に示すように、おむつ１Ｄにおいては、上側ベルト３１の長さが、上ベルトループ部４０１のループ材４２１に挿通されたベルトの部分を、ループ材４２１で折返し、調整止着材３３を介して、上側ベルト３１の外表面に折返したベルトの部分を止着することにより調整される。同様に、下側ベルト３２の長さが、下ベルトループ部４０２のループ材４２２に挿通されたベルトの部分を、ループ材４２２で折返し、調整止着材３３を介して、下側ベルト３２の外表面に折返したベルトの部分を止着することにより調整される。
【００７６】
第４実施形態の使い捨ておむつ１Ｄの形成材料について説明する。第３実施形態のおむつ１Ｃについては、第１実施形態の使い捨ておむつ１Ａの形成材料と同様であり、おむつ１Ａの説明が適宜適用される。
【００７７】
上述した本発明の第４実施形態の使い捨ておむつ１Ｄを使用した際の作用効果について説明する。
第４実施形態のおむつ１Ｄの効果については、第１実施形態のおむつ１Ａの効果と異なる点について説明する。特に説明しない点は、第１実施形態のおむつ１Ａの効果と同様であり、第１実施形態の展開型の使い捨ておむつ１Ａの効果の説明が適宜適用される。
【００７８】
第４実施形態のおむつ１Ｄは、図１４，図１５に示すように、上側ベルト３１及び下側ベルト３２それぞれが調整止着材３３を有しているので、各ベルトの長さを調整することができる。また、第４実施形態のおむつ１Ｄは、図１４，図１５に示すように、上側ベルト３１が、装着時に、背側部Ｂの端縁２ａに沿って延びる仮想直線Ｌと交差する方向に延びるように固定されており、下側ベルト３２が、装着時に、背側部Ｂの端縁２ａに沿って延びる仮想直線Ｌと平行に延びるように固定されている。そのため、斜め下方に配される上側ベルト３１を股下部Ｃ側に配することにより、体液吸収後の吸収体２３を下から上に引っ張り上げることができ、おむつ１Ｄのずり落ちを防止することができる。また、上側ベルト３１の一端部３１ａが背側部Ｂの側部２ｂの端縁２ａ近傍に固定されているので、おむつ１Ｄの装着時に背中側の隙間を防止することができる。
【００７９】
また、第４実施形態のおむつ１Ｄは、上側ベルト３１が腸骨領域で吸収体４を上に引っ張り上げ支えるのでずり落ちと、装着者の背中と背側部Ｂとの間に隙間ができるのを防止できる。また、下側ベルト３２はウエスト回りを弱くとめることができるので装着者のお腹を締め付けることがない。
【００８０】
本発明の吸収性物品は、上述の第１，第２，第３，第４実施形態の使い捨ておむつに何ら制限されるものではなく、適宜変更可能である。また、上述の第１，第２，第３，第４実施形態の使い捨ておむつにおける各構成要件は、本発明の趣旨を損なわない範囲で、適宜組み合わせて実施できる。
【００８１】
例えば、本発明の吸収性物品は、幼児又は成人用の使い捨ておむつの他、吸収性パッド等であってもよい。また、上述の第１，第２，第３，第４実施形態の使い捨ておむつの有するベルト３は、吸収性本体２の背側部Ｂの両側部２ｂ，２ｂそれぞれに２本ずつ配されているが、３本以上ずつ配されていてもよい。
【符号の説明】
【００８２】
１Ａ，１Ｂ，１Ｃ，１Ｄ  使い捨ておむつ
２  吸収性本体
２ｂ  側部
２ａ  端縁
２１  表面シート
２１ｂ  幅方向（Ｘ方向）外方の端部
２２  裏面シート
２３  吸収体
２４  サイドシート
２５  固定部
２６  サイドフラップ部
２７  レッグフラップ部
３  ベルト
３１  上側ベルト
３１ａ  長手方向の一端部、  ３１ｂ  長手方向の他端部
３２  下側ベルト
３２ａ  長手方向の一端部、  ３２ｂ  長手方向の他端部
３３  調整止着材
４  ベルトループ部
４０１  上ベルトループ部
４０２  下ベルトループ部
４１  固定止着材
４２，４２１，４２２  ループ材
４３  基材部
４３ａ  ループ材４２を固定している部分，４３ｂ  ループ材４２を固定している部分以外の基材部の部分
５１  立体ギャザー形成用の弾性部材
５２  レッグギャザー形成用の弾性部材
５３  弾性部材
６  ターゲットテープ
Ａ  腹側部，Ｂ  背側部，Ｃ  股下部
ＣＬ  おむつの長手方向に延びる中心線
Ｌ  端縁２ａに沿って延びる仮想直線
【図１】
0005721395.tif 000002
【図２】
0005721395.tif 000003
【図３】
0005721395.tif 000004
【図４】
0005721395.tif 000005
【図５】
0005721395.tif 000006
【図６】
0005721395.tif 000007
【図７】
0005721395.tif 000008
【図８】
0005721395.tif 000009
【図９】
0005721395.tif 000010
【図１０】
0005721395.tif 000011
【図１１】
0005721395.tif 000012
【図１２】
0005721395.tif 000013
【図１３】
0005721395.tif 000014
【図１４】
0005721395.tif 000015
【図１５】
0005721395.tif 000016
【図１６】
0005721395.tif 000017
【図１７】
0005721395.tif 000018